(57)【要約】【課題】交換レンズは、フォーカスレンズを駆動するための指示を受け付けた場合において、自レンズの状況に応じて、駆動音の低い駆動方法を選択できる。【解決手段】交換レンズ３は、フォーカスレンズ３０４と、フォーカスリング３１０と、フォーカスリング３１０で受け付けた指示に応じて、フォーカスレンズ３０４を駆動する際の速度を設定する設定手段と、この設定された速度で、フォーカスレンズ３０４を駆動するフォーカス駆動部３０６と、を備える。そして設定手段は、第１の速度に設定する標準モードと、第1の速度よりも小さい第２の速度に設定する静音モードを少なくとも有し、標準モード及び静音モードを含む複数の設定モードの中からいずれかを選択して、フォーカスレンズ３０４を駆動する際の速度を設定する。【選択図】図２
2009276729.tif 000002
【特許請求の範囲】
【請求項１】
カメラ本体に接続可能な交換レンズであって、
速度変更可能に駆動できる可動部材と、
前記可動部材を駆動するための指示を受け付ける受付手段と、
前記受付手段で受け付けた指示に応じて、前記可動部材を駆動する際の速度を設定する設定手段と、
前記設定された速度で、前記可動部材を駆動する駆動手段と、を備え、
前記設定手段は、前記受付手段で受け付けた指示に対応して第１の速度に設定する第１設定モードと、前記受付手段で受け付けた同じ指示に対応して前記第1の速度よりも小さい第２の速度に設定する第２設定モードを少なくとも有し、前記第1設定モード及び前記第２設定モードを含む複数の設定モードの中からいずれかを選択して、前記可動部材を駆動する際の速度を設定する、
交換レンズ。
【請求項２】
前記カメラ本体からの指示を取得する取得手段をさらに備え、
前記設定手段は、前記取得手段が取得した前記カメラ本体からの指示に応じて前記第1設定モード及び前記第２設定モードを含む複数の設定モードの中からいずれかを選択して、前記可動部材を駆動する際の速度を設定する、
請求項1に記載の交換レンズ。
【請求項３】
前記受付手段で受け付けた指示に応じて、前記可動部材を駆動する際の駆動量を制御する制御手段をさらに備え、
前記駆動手段は、
前記設定された駆動量で、前記可動部材を駆動し、
前記制御手段は、
前記第１設定モードにおいて設定される第１の駆動量と、前記第２設定モードにおいて設定される第２の駆動量を同じになるように制御する、
請求項１に記載の交換レンズ。
【請求項４】
請求項２に記載の交換レンズに接続可能なカメラ本体であって、
音声付き撮影を可能にする音声付き撮影モードを含む複数のモードから、一つのモードを選択する選択手段と、
前記複数のモードから、音声付き撮影モードが選択された場合、前記交換レンズに対する指示を送信する送信手段と、
を備えるカメラ本体。
【請求項５】
カメラ本体と、カメラ本体に接続可能な交換レンズとを備える撮像装置であって、
前記カメラ本体は、
音声付き撮影を可能にする音声付き撮影モードを含む複数のモードから、一つのモードを選択する選択手段と、
前記複数のモードから、音声付き撮影モードが選択された場合、前記交換レンズに対する指示を送信する送信手段と、
を備え、
前記交換レンズは、
前記カメラ本体からの指示を取得する取得手段と、
速度変更可能に駆動できる可動部材と、
前記可動部材を駆動するための指示を受け付ける受付手段と、
前記受付手段で受け付けた指示に応じて、前記可動部材を駆動する際の速度を設定する設定手段と、
前記設定された速度で、前記可動部材を駆動する駆動手段と、を備え、
前記設定手段は、前記受付手段で受け付けた指示に対応して第１の速度に設定する第１設定モードと、前記受付手段で受け付けた同じ指示に対応して前記第1の速度よりも小さい第２の速度に設定する第２設定モードを少なくとも有し、前記取得手段が取得した前記カメラ本体からの指示に応じて前記第1設定モード及び前記第２設定モードを含む複数の設定モードの中からいずれかを選択して、前記可動部材を駆動する際の速度を設定する、
撮像装置。
【発明の詳細な説明】
【技術分野】
【０００１】
本発明は、カメラ本体に着脱可能な交換レンズに関する。また、交換レンズを着脱可能なカメラ本体に関する。さらに、カメラ本体と交換レンズを備える撮像装置に関する。
【背景技術】
【０００２】
従来の撮像装置において、下記の特許文献１に記載されるようなものが存在する。
【０００３】
この撮像装置は、操作リングと、モード切替部と、トルク可変部とを備える。この操作リングは、焦点合わせと、ズーム調整とを一つの部材で共用するようにしたものである。また、モード切替部は、操作リングを焦点合わせのリングとして機能させる第一のモードと、操作リングをズーム調整のリングとして機能させる第二のモードとを切り替えるものである。トルク可変部は、第一のモードと第二のモードとで、操作リングのトルクを変化させるようにしたものである。これによって、第一のモードと第二のモードで操作リングのトルクの重さが変更されるので、焦点合わせ時とズーム調整時とで最適な操作トルクを設定できるようになっている。なお、撮像装置では、操作リングが操作されると、フォトインタラプタでリングの操作量が検知される。リング操作量は、ＭＰＵに入力される。ＭＰＵでは、リングの操作量に応じて、例えば、フォーカスレンズの駆動量を算出する（モードによっては、ズームレンズの駆動量を算出する）。ＭＰＵは、算出されたフォーカスレンズの駆動量に基づいて、フォーカスモータを制御する。これによって、フォーカスリングの操作に応じたフォーカスモータによるフォーカスレンズの駆動を可能にしている。
【特許文献１】特開２００３−３１５６５７号公報
【発明の開示】
【発明が解決しようとする課題】
【０００４】
ところで、このような撮像装置では、静止画又は動画撮影時に、音声が録音できるようになっているものが多い。そのため、音声が録音されている際に、フォーカスリングの操作に応じてフォーカスモータが駆動されると、フォーカスモータの駆動音が雑音となって録音されてしまう可能性がある。特に、フォーカスモータの駆動が高速である場合、雑音が顕著になる。
【０００５】
また、フォーカスモータの駆動音が大きいと、製品を使用する上で、使用者に好ましくない場合がある。一方、駆動音発生よりも駆動速度を優先したい場合もある。
【０００６】
そこで本発明は、上記課題を解決するために、可動部材を駆動するための指示を受け付けた場合において、自レンズの状況に応じて、駆動音の低い駆動方法を選択できる交換レンズを提供することを目的とする。
【課題を解決するための手段】
【０００７】
すなわち、本発明は、カメラ本体に接続可能な交換レンズであって、速度変更可能に駆動できる可動部材と、前記可動部材を駆動するための指示を受け付ける受付手段と、前記受付手段で受け付けた指示に応じて、前記可動部材を駆動する際の速度を設定する設定手段と、前記設定された速度で、前記可動部材を駆動する駆動手段と、を備える。そして、前記設定手段は、前記受付手段で受け付けた指示に対応して第１の速度に設定する第１設定モードと、前記受付手段で受け付けた同じ指示に対応して前記第1の速度よりも小さい第２の速度に設定する第２設定モードを少なくとも有し、前記第1設定モード及び前記第２設定モードを含む複数の設定モードの中からいずれかを選択して、前記可動部材を駆動する際の速度を設定する。
【０００８】
このようにすれば、交換レンズは、可動部材を駆動するための指示を受け付けた場合において、自レンズのモードが第２設定モードである場合、可動部材を駆動する際の駆動手段の速度を第１設定モードよりも小さくすることができる。
【０００９】
また、好ましくは、前記カメラ本体からの指示を取得する取得手段をさらに備える。そして、前記設定手段は、前記取得手段が取得した前記カメラ本体からの指示に応じて前記第1設定モード及び前記第２設定モードを含む複数の設定モードの中からいずれかを選択して、前記可動部材を駆動する際の速度を設定する。
【００１０】
このようにすれば、交換レンズは、カメラ本体からの指示に応じて、第1設定モードと第2設定モードとを切り換えることができる。これによって、カメラ本体は、交換レンズを静音で動作させたい場合に、交換レンズを指示することで、静音で動作させることが可能になる。
【００１１】
また、好ましくは、前記受付手段で受け付けた指示に応じて、前記可動部材を駆動する際の駆動量を設定する制御手段をさらに備える。そして、前記駆動手段は、前記設定された駆動量で、前記可動部材を駆動する。また、前記制御手段は、前記第１設定モードにおいて設定される第１の駆動量と、前記第２設定モードにおいて設定される第２の駆動量を同じになるようにする。
【００１２】
このようにすれば、受付手段で受け付けた指示に応じた駆動量で、可動部材を駆動できるようになる。そして、第１設定モードにおける可動部材の駆動量と、第２設定モードにおける可動部材の駆動量を同じにすることができる。これによって、例えば、交換レンズのフォーカスリングに目盛りが付されている場合に、第1設定モードと第2設定モードで速度が異なったとしても、フォーかリングの目盛りに対応した駆動を行なうことができる。
【００１３】
また、好ましくは、交換レンズに接続可能なカメラ本体であって、音声付き撮影を可能にする音声付き撮影モードを含む複数のモードから、一つのモードを選択する選択手段と、前記複数のモードから、音声付き撮影モードが選択された場合、前記交換レンズに対する指示を送信する送信手段と、を備える。
【００１４】
このようにすれば、カメラ本体は、雑音が問題となる音声付き撮影モードの際に、交換レンズに対して、静音で動作するための指定を行なうことができる。
【００１５】
また、撮像装置は、カメラ本体と、カメラ本体に接続可能な交換レンズとを備える。前記カメラ本体は、音声付き撮影を可能にする音声付き撮影モードを含む複数のモードから、一つのモードを選択する選択手段と、前記複数のモードから、音声付き撮影モードが選択された場合、前記交換レンズに対する指示を送信する送信手段と、を備える。また、前記交換レンズは、前記カメラ本体からの指示を取得する取得手段と、速度変更可能に駆動できる可動部材と、前記可動部材を駆動するための指示を受け付ける受付手段と、前記受付手段で受け付けた指示に応じて、前記可動部材を駆動する際の速度を設定する設定手段と、前記設定された速度で、前記可動部材を駆動する駆動手段と、を備える。そして、前記設定手段は、前記受付手段で受け付けた指示に対応して第１の速度に設定する第１設定モードと、前記受付手段で受け付けた同じ指示に対応して前記第1の速度よりも小さい第２の速度に設定する第２設定モードを少なくとも有し、前記取得手段が取得した前記カメラ本体からの指示に応じて前記第1設定モード及び前記第２設定モードを含む複数の設定モードの中からいずれかを選択して、前記可動部材を駆動する際の速度を設定する。
【発明の効果】
【００１６】
本発明の交換レンズは、可動部材を駆動するための指示を受け付けた場合において、自レンズの状況に応じて、駆動音の低い駆動方法を選択できる。
【発明を実施するための最良の形態】
【００１７】
（実施の形態１）
以下、本発明の一実施形態について図面を参照して説明する。本実施の形態は、デジタルカメラ１に適用して説明する。
【００１８】
１．構成
１−１  全体構成の概要
図１は、本実施の形態に係るデジタルカメラ１の斜視図である。図２は、本実施の形態に係るデジタルカメラ１の構成図である。
【００１９】
本実施の形態のデジタルカメラ１は、カメラ本体２と、カメラ本体２に着脱可能な交換レンズ３と、を備える。
【００２０】
カメラ本体２は、ＣＭＯＳセンサ２０１、シャッタ２０２、信号処理プロセッサ２０３（ＤＳＰ）、バッファメモリ２０４、液晶モニタ２０５、電子ビューファインダー２０６（ＥＶＦ）、電源２０７、ボディマウント２０８、フラッシュメモリ２０９、カードスロット２１０、ＣＰＵ２１１、シャッタスイッチ２１２、ストロボ２１３、マイク２１４、スピーカー２１５およびモード切替ダイヤル２２１を備える。
【００２１】
また交換レンズ３は、レンズマウント３０１、ズームレンズ３０３やフォーカスレンズ３０４を含むレンズ系、フォーカスレンズ３０４を駆動させるフォーカス駆動部３０６、絞り３０７、絞り３０７を駆動させる絞り駆動部３０８、ズームリング３０９、フォーカスリング３１０、レンズコントローラ３１１、バッファメモリ３１２及びフラッシュメモリ３１４を備える。
【００２２】
１−２  カメラ本体２の構成
カメラ本体２は、交換レンズ３のレンズ系によって集光された被写体像を撮像して、撮像した画像データをメモリカード等の記憶媒体に記録できるように構成されている。
【００２３】
ＣＭＯＳセンサ２０１は、受光素子と、ＡＧＣ（ゲイン・コントロール・アンプ）と、ＡＤコンバータを含んで構成される。受光素子は、レンズ系によって集光された光学的信号を電気信号に変換し、画像データを生成する。またＡＧＣは、ＣＭＯＳセンサ２０１から出力された電気信号を増幅するものである。ＡＤコンバータは、ＣＭＯＳセンサ２０１から出力された電気信号をデジタル信号に変換するものである。なお、ＣＭＯＳセンサ２０１は、ＣＰＵ２１１から受信した制御信号に従って、露光、転送、電子シャッタなどの各種の動作を行う。この各種動作は、タイミングジェネレータ等で実現可能である。
【００２４】
メカシャッタ２０２は、レンズ系を介して入射された、ＣＭＯＳセンサ２０１に対する光学的信号の遮断又は通過を切り替える。メカシャッタ２０２は、メカシャッタ駆動部によって駆動される。メカシャッタ駆動部は、モータ、バネ等の機構部品からなり、ＣＰＵ２１１の制御によって、メカシャッタ２０２を駆動する。要するに、メカシャッタ２０２は、開けたり閉じたりして、ＣＭＯＳセンサ２０１に当たる光の量を時間的に調整するものである。
【００２５】
信号処理プロセッサ２０３（ＤＳＰ）は、ＡＤコンバータによってデジタル信号に変換された画像データに、所定の画像処理を施すものである。所定の画像処理としては、ガンマ変換、ＹＣ変換、電子ズーム処理、圧縮処理、伸張処理等が考えられるが、これに限られるものではない。
【００２６】
バッファメモリ２０４は、信号処理プロセッサ２０３で処理を行う際、および、ＣＰＵ２１１で制御処理を行う際に、ワークメモリとして作用する。バッファメモリ２０４は、例えば、ＤＲＡＭなどで実現可能である。
【００２７】
液晶モニタ２０５は、カメラ本体２の背面に配置されるものであり、ＣＭＯＳセンサ２０１で生成された画像データまたはその画像データに所定の処理が施された画像データを表示可能である。ここで液晶モニタ２０５に入力される画像信号は、信号処理プロセッサ２０３から液晶モニタ２０５に出力される際、ＤＡコンバータによってデジタル信号からアナログ信号に変換される。
【００２８】
電子ビューファインダー２０６は、カメラ本体２に配置されるものであり、ＣＭＯＳセンサ２０１で生成された画像データまたはその画像データに所定の処理が施された画像データを表示可能である。電子ビューファインダー２０６に入力される画像信号も同様に、信号処理プロセッサ２０３から電子ビューファインダー２０６に出力される際、ＤＡコンバータによってデジタル信号からアナログ信号に変換される。
【００２９】
ここで液晶モニタ２０５と電子ビューファインダー２０６への表示は、表示切替手段２１７によって、一方に表示されるようにしている。すなわち、液晶モニタ２０５に画像が表示されている間は、電子ビューファインダー２０６には何も表示されない。また、電子ビューファインダー２０６に画像が表示されている間は、液晶モニタ２０５には何も表示されないように構成されている。表示切替手段２１７は、例えば、切り替えスイッチなどの物理的な構造で実現することができる。例えば、信号処理プロセッサ２０３と液晶モニタ２０５が電気的に接続されている場合、切り替えスイッチが切り替えられることによって、信号処理プロセッサ２０３と液晶モニタ２０５との電気的な接続が切断され、信号処理プロセッサ２０３と電子ビューファインダー２０６とが電気的に接続される。なお上記に限られず、表示切替手段２１７は、ＣＰＵ２１１などから制御信号に基づいて、液晶モニタ２０５と電子ビューファインダー２０６への表示の切り替えを行なってもよい。
【００３０】
以上のように、液晶モニタへの表示と、電気ビューファインダーへの表示とを切り替えるようにしている。但し、これは、構成上の制限からくる問題であるため、液晶モニタへの表示と、電子ビューファインダーへの表示を同時に行なうようにしてもかまわない。ここで、同時に表示する場合、液晶モニタに表示する画像と、電子ビューファンダーへ表示する画像は、同じ画像であっても、違う画像であってもかまわない。
【００３１】
電源２０７は、デジタルカメラ１で消費するための電力を供給する。電源２０７は、例えば乾電池であってもよいし、充電池であってもよい。また、電源２０７コードにより外部から供給される電力をデジタルカメラ１に供給するものであってもよい。
【００３２】
ボディマウント２０８は、交換レンズ３のレンズマウント３０１と相俟って、交換レンズ３の着脱を可能にする部材である。ボディマウント２０８は、交換レンズ３と接続端子等を用い電気的に接続可能であるとともに、係止部材等のメカニカルな部材によって機械的にも接続可能である。ボディマウント２０８は、交換レンズ３に含まれるレンズコントローラ３１１からの信号をＣＰＵ２１１へ出力できるとともに、ＣＰＵ２１１からの信号を交換レンズ３のレンズコントローラ３１１に出力できる。すなわち、ＣＰＵ２１１は、交換レンズ３側のレンズコントローラ３１１と制御信号やレンズ系に関する情報などを送受信可能である。
【００３３】
フラッシュメモリ２０９は、内蔵メモリとして用いられる記憶媒体である。フラッシュメモリ２０９は、画像データまたはその画像データに所定の処理が施された画像データを記憶可能である。また、デジタル化された音声信号も記憶可能である。加えて、画像データや音声信号の他にＣＰＵ２１１の制御のためのプログラムや設定値などを記憶可能である。
【００３４】
カードスロット２１０は、メモリカード２１８を着脱するためのスロットである。メモリカード２１８は、画像データまたはその画像データに所定の処理が施された画像データを記憶可能である。また、デジタル化された音声信号も記憶可能である。要するにメモリカード２１８は、記憶媒体である。
【００３５】
ＣＰＵ２１１は、カメラ本体２全体を制御するものである。ＣＰＵ２１１は、マイクロコンピュータで実現してもよく、ハードワイヤードな回路で実現してもよい。すなわち、ＣＰＵ２１１は、各種の制御を実行する。なお、ＣＰＵ２１１の各種制御は、２−１で記載する。
【００３６】
シャッタスイッチ２１２は、カメラ本体２の上面に設けられた釦であり、使用者からの半押しおよび全押し操作を検知する操作手段である。シャッタスイッチ２１２は、使用者から半押し操作を受け付けると、半押し信号をＣＰＵ２１１に出力する。一方、シャッタスイッチ２１２は、使用者から全押し操作を受け付けると、全押し信号をＣＰＵ２１１に出力する。これらの信号に基づいて、ＣＰＵ２１１は様々な制御を行なう。なお、本実施の形態において全押し信号は、撮影開始信号である。
【００３７】
ストロボ２１３は、ＣＰＵ２１１からの制御信号に基づいて、被写体に対して光の照射を行なうものである。例えば、ストロボ２１３は、キセノンランプやコンデンサー等を用いて実現できる。このように構成した場合、ストロボ２１３は、コンデンサーに高電圧の電荷を蓄積しておき、この電荷をキセノンランプの電極に加えることによって、光の照射するようにしている。
【００３８】
マイク２１４は、音声を電気信号に変換するものである。このマイク２１４から出力された電気信号は、ＡＤコンバータによってデジタル信号に変換される。ＡＤコンバータで変換されたデジタル信号は、ＣＰＵ２１１の制御に従って、フラッシュメモリ２０９またはメモリカード２１８に記憶される。
【００３９】
スピーカー２１５は、電気信号を音声に変換するものである。ここでスピーカー２１５へ入力される電気信号は、ＤＡコンバータでデジタル信号から電気信号に変換されたものである。ＤＡコンバータへの出力は、ＣＰＵ２１１の制御によって、フラッシュメモリ２０９またはメモリカード２１８から読み出されたデジタル信号が出力される。
【００４０】
モード切替ダイヤル２２１は、カメラ本体２の外装に取り付けられた操作部材である。モード切替ダイヤル２２１は、略円形形状で構成され、使用者が回動操作することによって、使用者が複数のモードから一つのモードを選択できるようにしている。すなわち、モード切替ダイヤル２１１は、複数のモードの内、一つのモードを選択できるようにするため、所定の位置に移動されたモードを検知できるようにしている。複数のモードには、「静止画撮影モード」、「音声付き静止画撮影モード」、「動画撮影モード」、「音声付き動画撮影モード」又は「再生モード」などが含まれる。例えば、モード切替ダイヤルの上面に記載された「音声付き動画撮影モード」に関する画像が、所定の位置（選択位置）に移動されると、モード切替ダイヤル２２１は、「音声付き動画撮影モード」に変更されたことを示すモード切替信号をＣＰＵ２１１に出力する。これによって、モードの切り替えを検知できるようにしている。なお、本実施の形態では、複数のモードとして設けられた「音声付き動画撮影モード」及び「音声付き静止画撮影モード」が、本発明の「音声付き撮影モード」の一例である。すなわち、「音声付き撮影モード」は、撮影時に、音声を取得して記憶媒体に記憶可能ならば、どのようなモードであってもかまわない。要するに、モード切替ダイヤル２２１は、選択手段の一例である。
【００４１】
なお、本実施のカメラ本体２は、図示しないが、デジタルカメラの設定をＡＦ（オートフォーカス）とＭＦ（マニュアルフォーカス）とで切り替えるフォーカス切替スイッチが設けられている。フォーカス切替スイッチは、使用者によって切り替え操作が行なわれると、切り替え制御信号をＣＰＵ２１１に出力する。この際ＣＰＵ２１１は、切り替え制御信号に応じたフォーカスモード（ＡＦ又はＭＦ）を示す情報をレンズコントローラ３１１に送信する。これによって、デジタルカメラ１の設定をＡＦとＭＦの間で切り替えるようにしている。
【００４２】
１−３  交換レンズ３の構成
レンズ系は、ズームレンズ３０３とフォーカスレンズ３０４と対物レンズ３０２を含んで構成され、被写体からの光を集光する。ズームレンズ３０３は、ズームリング３０９によって駆動され、ズーム倍率を調整するものである。フォーカスレンズ３０４は、フォーカス駆動部３０６又はフォーカスリング３１０によって駆動され、ピントの調節を行なうようにしたものである。要するに、フォーカスレンズ３０４は可動部材の一例である。
【００４３】
フォーカス駆動部３０６は、レンズコントローラ３１１の制御にしたがって、フォーカスレンズ３０４を駆動させるようにしたものである。フォーカス駆動部３０６は、例えば、ステッピングモータとドライバとで構成される。ドライバは、レンズコントローラ３１１から入力された制御信号（単位時間当たりの駆動量）に応じてステッピングモータを制御する。つまり、ドライバは、単位時間内に駆動量(速度)に応じたパルスを入力する。これによって、ステッピングモータは、フォーカスレンズ３０４を駆動する。なお、ステッピングモータは、ドライバから入力されるパルスに対応してフォーカスレンズ３０４を駆動する。ステッピングモータは、入力したパルスの入力周波数に応じて回転速度を変更可能である。すなわち、フォーカス駆動部３０６は、駆動手段の一例である。
【００４４】
絞り３０７は、レンズ系を通過する光の量を調整するものである。例えば、光の調整は、５枚羽根などで構成される開口部を大きくしたり、小さくしたりすることで可能である。
【００４５】
絞り駆動部３０８は、絞り３０７の開口部の大きさを変更するものである。実施の形態１では、レンズコントローラ３１１の制御に基づいて、絞り３０７の開口部の大きさを変更するようにしている。ここで開口部の大きさは、Ｆ値によって指定可能である。
【００４６】
ズームリング３０９は、交換レンズ３の外装に設けられ、使用者からの操作に応じて、ズームレンズ３０３を駆動させるものである。ズームリング３０９は、使用者によって回動操作されると、機械的な方法で、ズームレンズ３０３を駆動させる。なお、ズームリング３０９は、ズームレンズ３０３を電気的に駆動させるようにしてもよい。
【００４７】
フォーカスリング３１０は、交換レンズ３の外装に設けられ、使用者からフォーカスレンズ３０４を駆動するための操作（指示）を受け付ける。つまり、フォーカスリング３１０は、受付手段である。フォーカスリング３１０が使用者によって操作されると、フォトインタラプタがリングの操作量を検知する。フォトインタラプタは、検知したリングの操作量に関する情報を、レンズコントローラ３１１に出力する。なお、フォトインタラプタがリングの操作量を検知するようにしているが、これに限られない。例えば、摺動抵抗が、リングの操作量を検知してもかまわない。
【００４８】
なお、本実施の形態では、デジタルカメラ１がＭＦに設定された場合（ＭＦモード）にのみ、フォーカスリング３１０の操作に応じて、フォーカスレンズ３０４を駆動できるようにしている。すなわち、本実施の形態では、デジタルカメラ１がＡＦに設定された場合（ＡＦモード）、フォーカスリング３１０に応じた、フォーカスレンズ３０４の駆動はできない。したがって、デジタルカメラ１がＡＦに設定された場合は、フォトインタラプタがリングの操作量を検知しないようにするとよい。つまり、デジタルカメラ１がＭＦに設定された場合にのみ、フォトインタラプタが、リングの操作量を検知し、この操作量をレンズコントローラ３１１に出力するようにするとよい。このようにすれば、フォトインタラプタがＡＦ時に操作量を検知する必要がなくなるため、電力消費を抑えることができる。なお、フォトインタラプタは、エンコーダの一例である。
【００４９】
レンズコントローラ３１１は、交換レンズ３全体を制御するものである。レンズコントローラ３１１は、マイクロコンピュータで実現してもよく、ハードワイヤードな回路で実現してもよい。すなわち、レンズコントローラ３１１は、各種の制御を実行する。なお、レンズコントローラ３１１の各種制御は、２−２で記載する。
【００５０】
バッファメモリ３１２は、レンズコントローラ３１１で制御処理を行う際に、ワークメモリとして作用する。バッファメモリ３１２は、例えば、ＤＲＡＭなどで実現可能である。
【００５１】
フラッシュメモリ３１４は、レンズコントローラ３１１と電気的に接続して構成される。そして、フラッシュメモリ３１４は、制御プログラムやパラメータ等が記憶可能になっている。
【００５２】
２．カメラ本体２及び交換レンズ３内の各種制御
２−１．ＣＰＵ２１１の各種制御
ＣＰＵ２１１は、複数のモードから、音声付き撮影モードが選択された場合、交換レンズ３に対する指示（静音モードに関する情報）を送信する送信手段である。
【００５３】
ＣＰＵ２１１は、モード切替ダイヤル２２１からのモード切替信号を受け取ると、モード切替信号に対応するモードにカメラ本体２を切り替える（設定する）。ここで、本実施の形態では、カメラ本体２は、音声付き撮影モードと、撮影モードと、再生モードとを備える。音声付き撮影モードは、音声付き動画撮影モードと、音声付き静止画撮影モードとを有している。撮影モードは、動画撮影モードと、静止画撮影モードを有している。
【００５４】
ＣＰＵ２１１は、デジタルカメラ１がＭＦに設定されている場合において、モード切替ダイヤル２２１でモードが切り替えられると、切り替えられたモードに応じて、静音モードか標準モードかを示す信号を交換レンズ３に送信する（図３）。具体的にＣＰＵ２１１は、モードが、音声付き静止画撮影モード又は音声付き動画撮影モードに切り替えられた場合、静音モードを示す情報を交換レンズ３に送信する。一方、ＣＰＵ２１１は、モードが、静止画撮影モード、動画撮影モード又は再生モードに切り替えられた場合、標準モードを示す情報を交換レンズ３に送信する。これによって、カメラ本体２は、交換レンズ３に対して、静音で動作させるための指示をするようにしている。
【００５５】
また、ＣＰＵ２１１は、ＣＭＯＳセンサ２０１によって出力された画像データやマイク２１４によって出力された音声信号を、フラッシュメモリ２０９またはメモリカード２１５に記憶する。これによって、ＣＰＵ２１１は、各部を制御して、音声付き動画撮影や音声付き静止画撮影を可能にしている。なお、音声付き動画撮影及び音声付き静止画撮影を可能にする構成や動作は、従来技術であるため、説明を割愛する。
【００５６】
さらに、ＣＰＵ２１１は、フォーカス切替スイッチが操作されると、設定されたモード（ＡＦ又はＭＦ）に応じたフォーカスモードを示す情報をレンズコントローラ３１１に送信する。例えば、ＣＰＵ２１１は、デジタルカメラ１がＭＦモードに設定された場合、ＭＦを示す情報をレンズコントローラ３１１に送信する。
【００５７】
２−２．レンズコントローラ３１１の各種制御
レンズコントローラ３１１は、カメラ本体からの指示を取得する。また、レンズコントローラ３１１は、フォーカスリング３１０が可動部材を駆動するための操作を受け付けた場合、この操作の単位時間当たりの操作量に応じて、フォーカスレンズ３０４の単位時間当たりの駆動量を算出する。さらに、レンズコントローラ３１１は、この算出した単位時間当たりの駆動量を含む制御信号をフォーカス駆動部３０６に出力する。要するに、レンズコントローラ３１１が、取得手段の一例であり、設定手段の一例である。以下具体的に説明する。
【００５８】
レンズコントローラ３１１は、静音モードを示す情報又は標準モードを示す情報をＣＰＵ２１１から取得する。レンズコントローラ３１１は、静音モードを示す情報又は標準モードを示す情報を取得した場合、この静音モード又は標準モードを示す情報をバッファメモリ３１２に記憶する。
【００５９】
また、レンズコントローラ３１１は、フォーカスモードを示す情報を取得する。フォーカスモードを示す情報を取得した場合、フォーカスモードを示す情報（ＡＦ又はＭＦモード）をバッファメモリ３１２に記憶する。
【００６０】
また、レンズコントローラ３１１は、フォーカスリング３１０が操作されることによって、フォトインタラプタから操作量が入力されると、単位時間当たり（例えば、1ミリｓｅｃ当たり）の操作量に対応して、フォーカス駆動部３０６を駆動するための単位時間当たりの駆動量を算出する。ここでレンズコントローラ３１１は、バッファメモリ３１２に記憶された静音モード又は標準モードを示す情報に応じて、算出される単位時間当たりの駆動量を変更するようにしている。例えば、バッファメモリ３１２に静音モードを示す情報が記憶されている場合（以下、静音モード時）、レンズコントローラ３１１は、図４に示すパターンＡのように、単位時間当たりの駆動量を算出する。一方、バッファメモリ３１２に標準モードを示す情報が記憶されている場合（以下、標準モード時）、レンズコントローラ３１１は、図４に示すパターンＢのように、単位時間当たりの駆動量を算出する。
【００６１】
すなわち、レンズコントローラ３１１は、静音モードが、第２設定モードの一例であり、標準モードが、第１設定モードの一例である。また、静音モード時に算出される単位時間当たりの駆動量が、第２の速度の一例であり、標準モード時に算出される単位時間当たりの駆動量が、第１の速度の一例である。
【００６２】
ここで図４のパターンＡの場合、レンズコントローラ３１１が算出する単位時間当たりの駆動量は、単位時間当たりの操作量が大きくなるにしたがって、所定の値に収束する。所定の値としては、モータの駆動音が雑音として認識されるレベルの値をいい、特に限定されない。このようにすれば、単位時間当たりの駆動量を、所定の値に近づけていくことができるので、駆動音を考慮した動作を可能にしつつ、単位時間当たりの操作量に応じた駆動量の変化を滑らかにすることができる。
【００６３】
レンズコントローラ３１１は、上記のように算出された単位時間当たりの駆動量に関する制御信号をフォーカス駆動部３０６に出力する。これによって、フォーカス駆動部３０６は、単位時間当たりの駆動量に応じてフォーカスレンズ３０４を駆動できる。
【００６４】
ここでフォーカス駆動部３０６は、この制御情報に応じてフォーカスレンズ３０４を駆動する。ここで制御情報には、単位時間当たりの駆動量（速度）及び駆動時間に関する情報が含まれている。本実施の形態でレンズコントローラ３１１は、単位時間当たりの駆動量及び単位時間をフォーカス駆動部３０６に送信する。これによって、フォーカス駆動部３０６は、フォーカスレンズ３０４を駆動できるようにしている。すなわち、本実施の形態では、フォーカスリング３１０を操作した時間だけ、フォーカスレンズ３０４を駆動するようにしている。
【００６５】
３．動作
上記のように構成したデジタルカメラ１の動作例を、図５〜７のフローチャートで説明する。
【００６６】
３−１．カメラ本体２の動作（図５）
ＣＰＵ２１１は、モード切替ダイヤル２２１が操作されて、モードが切り替えられたことを判別する（Ａ１）。ＣＰＵ２１１は、モードが切り替えられたことを検知すると、デジタルカメラ１がＭＦに設定されているか否かを判別する（Ａ２）。デジタルカメラ１がＭＦに設定されている場合、ＣＰＵ２１１は、切り替えられたモードが、音声付き静止画撮影モード又は音声付き動画撮影モードか否かを判断する（Ａ３）。
【００６７】
ステップＡ２で音声付き静止画又は動画撮影モードに切り替えられたと判断した場合、ＣＰＵ２１１は、静音モードを示す情報をレンズコントローラ３１１に送信する（Ａ４）。一方、ステップＡ２で音声付き静止画又は動画撮影モード以外に切り替えられたと判断した場合、ＣＰＵ２１１は、標準モードを示す情報をレンズコントローラ３１１に送信する（Ａ５）。
【００６８】
なお、ＣＰＵ２１１は、フォーカス切替スイッチが操作されたことを検知すると、フォーカスモードを示す情報をレンズコントローラ３１１に送信する。
【００６９】
３−２．交換レンズ３の動作（図６，７）
レンズコントローラ３１１は、静音モード又は標準モードを示す情報を受信する（Ｂ１）。レンズコントローラ３１１は、この情報を受信すると、静音モード又は標準モードを示す情報をバッファメモリ３１２に記憶する（Ｂ２）。なお、レンズコントローラ３１１は、静音モード又は標準モードを示す情報をバッファメモリ３１２に記憶する際、過去に取得して記憶された静音モード又は標準モードを示す情報を消去する。これによって、交換レンズが静音モードか否か容易に判別することができる。
【００７０】
また、レンズコントローラ３１１は、フォーカスリング３１０が操作されると、（Ｃ１）、単位時間当たりの操作量を取得する（Ｃ２）。そしてレンズコントローラ３１１は、設定された状態が静音モードか否かを判断する（Ｃ３）。つまり、レンズコントローラ３１１は、バッファメモリ３１２に静音モードを示す情報が記憶されているか否かを判別する。
【００７１】
レンズコントローラ３１１は、設定された状態が静音モードであると判断した場合、取得した単位時間当たりの操作量に基づいて、図４のパターンＡのような駆動音がなるべく発生しないような駆動ができるように、フォーカスレンズ３０４の単位時間当たりの駆動量を算出する（Ｃ４）。
【００７２】
一方、レンズコントローラ３１１は、設定された状態が標準モードであると判断した場合、単位時間当たりの操作量に基づいて、図４のパターンＢのような標準の駆動ができるように、フォーカスレンズ３０４の単位時間当たりの駆動量を算出する（Ｃ５）。
【００７３】
レンズコントローラ３１１は、ステップＣ４又はＣ５で算出された単位時間当たりの駆動量で、フォーカス駆動部３０６を制御する（Ｃ６）。ここでフォーカス駆動部３０６を制御するための制御信号には、単位時間当たりの駆動量及び単位時間が含まれているため、フォーカス駆動部３０６は、この制御情報に応じて、フォーカスレンズ３０４を駆動する。
【００７４】
そして、ステップＡ１に戻り、上記動作を、フォーカスリング３１０に対する操作がなくなるまで続ける。
【００７５】
４．まとめ
本実施の形態のデジタルカメラ１は、カメラ本体２と、カメラ本体２に接続可能な交換レンズ３とを備える。カメラ本体２は、音声付き撮影を可能にする音声付き撮影モードを含む複数のモードから、一つのモードを選択する選択手段と、複数のモードから、音声付き撮影モードが選択された場合、交換レンズ３に対する指示を送信する送信手段と、を備える。また、交換レンズ３は、カメラ本体２からの指示を取得する取得手段と、速度変更可能に駆動できるフォーカスレンズ３０４と、フォーカスレンズ３０４を駆動するための指示を受け付けるフォーカスリング３１０と、フォーカスリング３１０で受け付けた指示に応じて、フォーカスレンズ３０４を駆動する際の速度を設定する設定手段と、この設定された速度で、フォーカスレンズ３０４を駆動するフォーカス駆動部３０６と、を備える。そして、設定手段は、フォーカスリング３１０で受け付けた指示に対応して第１の速度に設定する標準モードと、フォーカスリング３１０で受け付けた同じ指示に対応して第1の速度よりも小さい第２の速度に設定する静音モードを少なくとも有し、この取得手段が取得したカメラ本体２からの指示に応じて標準モード及び静音モードを含む複数の設定モードの中からいずれかを選択して、フォーカスレンズ３０４を駆動する際の速度を設定する。
【００７６】
このようにすれば、交換レンズは、フォーカスレンズを駆動するための指示を受け付けた場合において、交換レンズのモードが静音モードである場合、フォーカスレンズを駆動する際のフォーカス駆動部の駆動速度を標準モードよりも小さくすることができる。
（他の実施の形態）
本発明の実施の形態として、実施の形態１を例示した。しかし、本発明は、実施の形態１に限定されず、他の実施の形態においても実現可能である。そこで、本発明の他の実施の形態を以下まとめて説明する。
【００７７】
本発明の実施の形態１では、撮像手段は、受光素子、ＡＧＣ、ＡＤコンバータを備えるＣＭＯＳセンサで構成した。しかし、これに限られず、例えば、ＣＣＤイメージセンサで構成してもよい。撮像手段は、被写体像を撮像して、画像データ（デジタル信号又は電気信号）を生成できるものであれば、どのような構成であってもかまわない。なお、ＣＭＯＳセンサで構成した場合、消費電力を減らすことができる。
【００７８】
また、実施の形態１では、選択手段として、カメラ本体２にモード切替ダイヤル２２１を設けて、使用者からのモード切替を受け付けるようにした。しかし、これに限られず、例えば、このモード切替スイッチをタッチパネル上に表示して、タッチパネルでモードの指定を受け付けることで、モードの切り替えを受け付けるようにしてもよい。
【００７９】
また、実施の形態１では、可動部材として、フォーカスレンズ３０４を用いた。しかし、これに限られず、ズームレンズや絞りを本発明の可動部材とすることもできる。また、駆動手段も同様に、フォーカス駆動部に限られず、絞り駆動部や本実施の形態では設けられていないズーム駆動部を駆動手段とすることもできる。
【００８０】
また、実施の形態１では、受付手段として、フォーカスリング３１０を用いた。しかし、これに限られず、ズームリングや絞り環を用いることができる。また、受付手段は、カメラ本体に設けたフォーカスを設定するための操作部やズームレバーなどで入力された操作信号を受け付けるようにしてもよい。この場合、操作部が検知した操作信号をＣＰＵが取得する。そして、ＣＰＵがこの操作信号をレンズコントローラに送信する。これによって、レンズコントローラが可動部材を駆動するための指示を受け付ける。よって、この場合、レンズコントローラが受付手段となる。
【００８１】
さらに、実施の形態１では、フォーカス駆動部３０６を、ステッピングモータで構成した。しかし、これに限られず、ＤＣモータやサーボモータ等を用いることができる。
【００８２】
加えて、実施の形態１では、ＣＰＵ２１１は、音声付き撮影モードに切り替えられた場合、静音モードを示す情報をレンズコントローラ３１１に送信するようにした。しかし、これに限られず、カメラ本体２に静音モードと標準モードを切り替えるようなスイッチを設けて、当該スイッチが使用者に操作された場合に、上記のような情報を送信するようにしてもよい。つまり、カメラ本体２が、使用者の操作に基づいて、静音又は標準モードの設定を受け付け、この設定に応じて、静音モードを示す情報等を交換レンズに送信するようにしてもよい。このようにすれば、使用者が交換レンズを静音で動作させたい場合に、交換レンズを静音で動作させることができる。
【００８３】
また、実施の形態１では、フォーカス切替スイッチをカメラ本体側に設けた例を説明した。しかし、これに限られず、フォーカス切替スイッチを交換レンズ側に設けるようにしてもよい。この場合、例えば、交換レンズでは、レンズコントローラがＭＦに設定されたことを検知すると、ＭＦに設定された旨をカメラ本体に送信する。カメラ本体は、受信したＭＦに設定された旨に応じて、カメラ本体の設定を変更する。これによって、カメラ本体は、ＡＦとＭＦの設定を変更できるようにしている。
【００８４】
なお、上記実施の形態では、カメラ本体２は、ＭＦ時に、モード切替ダイヤルでモードが切り替えられた場合、静音モードを示す情報等を送信するようにした。つまり、カメラ本体２は、ＡＦ時に、モード切替ダイヤルでモードが切り替えられた場合、静音モードを示す情報等が送信しないようにしている。しかし、これは実施例であるため、カメラ本体２は、ＡＦ時に、モードの切替に応じて、静音モードを示す情報等を送信するようにしてもかまわない。
【００８５】
また、実施の形態１では、静音モードの場合、図４のパターンＡのように単位時間当たりの操作量を単位時間当たりの駆動量に変換するようにした。しかし、これに限られず、図８のパターンＣのように単位時間当たりの操作量を単位時間当たりの駆動量に変換するようにしてもよい。このパターンＣの場合、単位時間当たりの操作量が小さい場合、パターンＢと同じ単位時間当たりの駆動量に変換する。一方、単位時間当たりの操作量が大きい場合、所定の単位時間当たりの駆動量に変換する。これによって、単位時間当たりの操作量が大きくなった場合において顕著になる、駆動手段の雑音を防止することができる。
【００８６】
また、実施の形態１では、交換レンズが設定されたモード（静音モードか標準モード）に応じて、単位時間当たりの操作量から算出される単位時間当たりの駆動量を異なるようにした。つまり、単位時間当たりの操作量が５ｃｍ／ｍｓｅｃである場合、算出される単位時間当たりの駆動量は、標準モードで１０パルス／ｍｓｅｃ、静音モードで５パルス／ｍｓｅｃのようになる（例１）。したがって、使用者がフォーカスリングに対して同じ操作をしても、設定されたモードが異なると、フォーカスリングを同じだけ駆動することができない。これでは、交換レンズのフォーカスリングにレンズ位置に関する目盛りが付されている場合、目盛りに対応したフォーカスレンズの駆動を行なうことができない。そこで、このような交換レンズである場合、以下のように構成すると好ましい。
【００８７】
まず、レンズコントローラは、単位時間当たりの操作量を取得する。レンズコントローラは、静音モードに設定されている場合、この操作量に応じて図４のパターンＡのように単位時間当たりの駆動量を駆動速度として算出する。また、レンズコントローラは、静音モードに設定されている場合、この操作量に応じて図４のパターンＢのように算出される単位時間当たりの駆動量のうち、駆動量のみを目標駆動量として算出する。つまり、目標駆動量は、使用者にフォーカスリングが操作され、標準モードでフォーカスレンズを駆動した場合に駆動されるフォーカスレンズの駆動量である。上記の例１の場合、駆動速度が、５パルス／ｍｓｅｃで、目標駆動量が、１０パルスになる。この後、レンズコントローラは、算出した駆動速度で、目標駆動量までフォーカスレンズを駆動するために必要な駆動時間を算出する。例えば、例１の場合、駆動時間は、２ｍｓｅｃとなる。これによって、算出された駆動速度と駆動時間に基づいて、フォーカス駆動部を制御する。つまり、レンズコントローラ３１１は、目標駆動量までフォーカスレンズを駆動するようにフォーカス駆動部を制御する制御手段である。このようにすれば、標準モードにおいてフォーカスレンズを駆動する際の第１の駆動量と、静音モードにおいてフォーカスレンズを駆動する際の第２の駆動量を同じにすることができる。
【００８８】
これによって、フォーカス駆動部は、目標駆動量に対応した駆動時間及び駆動速度に応じて、フォーカスレンズを駆動することができる。ただし、この場合、フォーカス駆動部は、単位時間当たりの操作量に対して、単位時間以上の時間をかけてフォーカスレンズを駆動することになる。そのため、フォーカスリングの操作と、フォーカスレンズの駆動のタイミングを対応させることができない。逆に考えると、本実施の形態１では、単位時間当たりの操作量に応じたフォーカスレンズの駆動を、単位時間で駆動するようにしている。したがって、本実施の形態によれば、フォーカスリングの操作と、フォーカスレンズの駆動のタイミングを対応させることが可能になる。
【００８９】
また、実施の形態１では、単位時間として、１ｍｓｅｃの例を説明した。しかし、この単位時間に限られないことはいうまでもない。また、単位時間は、一定の時間であることが好ましいが、必ずしも一定である必要はない。したがって、使用者がフォーカスリングを操作したタイミングに応じて、単位時間を変更するようにしてもよい。
【００９０】
さらに、実施の形態１では、第１設定モードを標準モードとし、第２設定モードを静音モードとした。しかしこれに限られず、モードはどのようなモードであってもかまわない。
【００９１】
また、実施の形態１では、単位時間当たりの操作量に基づいて単位時間当たりの駆動量を算出するようにしていた。しかし、これに限られず、例えば、単位時間当たりの操作量及び単位時間当たりの駆動量の対応表を用いて、単位時間当たり操作量から単位時間当たりの駆動量を生成してもよい。
【００９２】
すなわち、本発明は、上記実施の形態に限られず、種々な構成で実現可能である。
【産業上の利用可能性】
【００９３】
本発明は、カメラ本体と交換レンズとを備える撮像装置に適用可能である。具体的には、デジタルカメラやムービー等に利用できる。
【図面の簡単な説明】
【００９４】
【図１】本発明の実施の形態１に係るデジタルカメラ１の斜視図
【図２】本発明の実施の形態１に係るデジタルカメラ１の構成例を示す図
【図３】本発明の実施の形態1に係るカメラ本体２と交換レンズ３との間での情報のやり取りを説明するための図
【図４】本発明の実施の形態1に係る静音モード又は標準モードを示す情報に応じたフォーカス駆動部の駆動方法の切替を説明するための図
【図５】本発明の実施の形態1に係るカメラ本体２の動作例を説明するためのフローチャート
【図６】本発明の実施の形態1に係る交換レンズ３の動作例を説明するためのフローチャート
【図７】本発明の実施の形態1に係る交換レンズ３の動作例を説明するためのフローチャート
【図８】他の実施の形態に係る静音モード又は標準モードにおける単位時間当たりの操作量に応じた単位時間当たりの駆動量の算出を説明するための図
【符号の説明】
【００９５】
１    デジタルカメラ
２    カメラ本体
３    交換レンズ
２０１    ＣＭＯＳセンサ
２０２    シャッタ
２０３    信号処理プロセッサ
２０４    バッファメモリ
２０９    フラッシュメモリ
２１０    カードスロット
２１１    ＣＰＵ
２１２    シャッタスイッチ
２１３    ストロボ
２１４    マイク
２１５    スピーカー
２１７    表示切替手段
２１８    メモリカード
２２１    モード切替ダイヤル
３０３    ズームレンズ
３０４    フォーカスレンズ
３０６    フォーカス駆動部
３０７    絞り
３０８    絞り駆動部
３０９    ズームリング
３１０    フォーカスリング
３１１    レンズコントローラ
３１２    バッファメモリ
【図１】
2009276729.tif 000003
【図２】
2009276729.tif 000004
【図３】
2009276729.tif 000005
【図４】
2009276729.tif 000006
【図５】
2009276729.tif 000007
【図６】
2009276729.tif 000008
【図７】
2009276729.tif 000009
【図８】
2009276729.tif 000010